(57)【要約】【課題】スペーサを介在させれば、厚さの異なるスペーサなどを用意する必要があり、圧縮ばねを介在すれば、圧縮ばねの圧縮力、調整ねじの押力の作用方向がずれているため、板材が変形する。【解決手段】ねじ孔４６ａ、おねじ４６ｂ付ボス４６に装着したナット１４に圧縮ばね１６を収納させてから、撮像素子の保持板３０をのせ、調整ねじ１２が保持板の上から圧縮ばね１６を挿通してボスに装着され、保持板がナットと当接するまで締め付けられる。ナット１４を保持板３０から逃がして保持板を浮遊状態とし、圧縮ばね１６の弾性力に抗して調整ねじ１２を締め付け、その締め付け状態を調整してミラーボックス４０に対する保持板３０の位置が調整される。ナット１４を戻して保持板３０に当接するまで締め付け、ナットと調整ねじのヘッド１２ａとの間に調整後の保持板を挟持して固定する。【選択図】図２
2006203706.tif 000002
【特許請求の範囲】
【請求項１】
撮像素子取付け構造において、
撮像素子を有する保持板と、
ねじのヘッドが上記保持板の一方の面と当接して、光軸方向に上記保持板を調整するねじと、
上記保持板を支持し、上記ねじと螺合する孔を有する軸部を持つ支持部材と、
上記軸部外周に螺合し、一端面が上記保持板の他方の面と当接するナットと、
を具備することを特徴とする撮像素子取付け構造。
【請求項２】
撮像素子を保持する保持板と、
ヘッド下面が上記保持板の一方の面に当接するヘッド付の調整ねじと、
孔の形成されたボスを持ち、上記調整ねじが上記ボスの孔に螺合されて上記保持板が取付けられる取付け部材と、
上記取付け部材のボスの外周に螺合されてその一端面が上記保持板の他方の面に当接するナットと、
上記調整ねじの回りに、上記取付け部材のボスの一端面と上記保持板の他方の面との間に圧縮状態で付勢を行うために配設された弾性部材と、
を具備する撮像素子取付け構造。
【請求項３】
撮像素子を保持する保持板を、取付け部材の少なくとも３ヶ所でねじ孔にヘッド付の調整ねじを螺合して上記取付け部材上に取付ける撮像素子取付け構造において、
上記取付け部材は、孔の形成されたボスを持ち、上記調整ねじは上記ボスの孔に螺合され、
上記取付け部材のボスと上記保持板との間で上記調整ねじの回りに配置され、上記調整ねじの締め付けに抗した弾性力を生じる弾性部材と、
上記取付け部材のボスの外周に螺合されて、上記調整ねじのヘッドとの間で上記保持板を挟持するナットと、
を具備することを特徴とする撮像素子取付け構造。
【請求項４】
取付け部材上に板材をヘッド付の調整ねじで取付ける板材取付け構造において、
上記調整ねじと螺合する孔を有して上記取付け部材に設けられたボスと、
上記調整ねじの回りで上記ボスと上記板材との間に配置され、上記調整ねじの締め付けに抗した弾性力を生じる弾性部材と、
上記ボスの外周に螺合されて、上記調整ねじのヘッドとの間で上記板材を挟持するナットと、
を具備することを特徴とする板材取付け構造。
【請求項５】
上記ボスは上記取付け部材と一体に少なくとも３ヶ所に成形されていることを特徴とする請求項４記載の板材取付け構造。
【請求項６】
上記保持板は、撮像素子を保持する保持板であることを特徴とする請求項３または５記載の板材取付け構造。
【請求項７】
孔を有して取付け部材上に設けられた少なくとも３つのボスの外周にナットを螺合する工程と、
圧縮に抗した弾性力を生じる弾性部材を上記ボス上で上記ナット内に配置する工程と、
上記ナットを介在して上記取付け部材上に板材を配置する工程と、
上記弾性部材を挿通してヘッド付の調整ねじを上記ボスの孔に螺合する工程と、
上記ナットを上記板材から離反する方向に螺合して板材を浮遊状態とする工程と、
上記弾性部材を圧縮しながら上記調整ねじを締め付け、その締め付け状態によって、上記ボスの位置する少なくとも３ヶ所で取付け部材に対する上記板材の取付け位置を調整する工程と、
上記ナットを上記板材方向に締め付け、上記調整ねじのヘッドとの間で上記板材を挟持して上記板材をその調整位置に保持する工程とを具備する板材取付け方法。
【請求項８】
取付け部材上のボスにナットを螺合させ、上記ナット内に弾性部材を置いてから板材を取付け部材上にのせ、上記板材の外から上記弾性部材を挿通してヘッド付調整ねじを上記ボスに螺合し、上記ナットを逃がして板材を浮遊状態とし、ヘッド付調整ねじを上記弾性部材の弾性力に抗して締め付け、その締め付け状態によって上記取付け部材に対する上記板材の位置を調整し、上記ナットを戻して締め付け、上記板材を上記調整ねじのヘッドとの間に挟持する板材取付け方法。
【請求項９】
上記保持板は、撮像素子を保持する保持板であることを特徴とする請求項６または８記載の板材取付け方法。
【発明の詳細な説明】
【技術分野】
【０００１】
本発明は、撮像素子を保持する撮像素子保持板などの板材を取付け部材に調整ねじで取付ける板材取付け構造および板材取付け方法に関する。
【背景技術】
【０００２】
各種の板材が調整ねじによって取付け部材に支持、取付けられている。たとえば、デジタルカメラなどに使用されるＣＣＤなどの撮像素子は保持板に固着、保持され、保持板が、たとえばミラーボックスのような取付け部材に調整ねじでねじ止めされて取付けられている。
【０００３】
ここで、通常、撮像素子はセラミックやプラスチックにパッケージされて成形されており、パッケージにする製造上の誤差は避け難く、製造上の誤差によって、光軸（撮影光軸）方向の撮像素子の撮像面（受光面）の位置や、光軸に対する撮像素子の受光面の垂直度に狂いを生じる。
画像の中央および周辺の双方で合焦された所望の結像性能を得るためには、撮影レンズの結像面となる光軸方向の位置および光軸に対しあおり(傾き)のない垂直な状態で撮像素子の撮像面が所望の正確な位置に位置するように調整して撮像素子の保持板を取付け部材に取付ける必要がある。
【０００４】
一般的に、取付け位置は３ヶ所とされ、撮像素子の撮像面を所望の位置である結像位置に取付けるために、たとえば、光軸方向の位置とあおり量を把握するため、３ヶ所の取付け位置のそれぞれについて測定する。そして、この測定結果から、正確な所望の光軸上の位置、および光軸に対する傾きをなくすための調整寸法を算出し、調整寸法に対応する厚さのスペーサを介在させて調整ねじを締め付けることによって撮像素子の保持板を取付け部材に取付けている。
しかし、この方法では、厚さの異なるスペーサを用意する必要があり、コスト高となる。また、３ヶ所の取付け位置に異なる組み合わせのスペーサを正確に組付けて調整する必要があるため、調整工程が複雑化し、熟練作業者でないと調整が難しい。
【０００５】
スペーサの代わりに、圧縮ばねを撮像素子の保持板と取付け部材との間に介在させ、圧縮ばねの弾性力（圧縮力）に抗して調整ねじを締め付けて撮像素子の保持板の位置、つまりは、撮像素子の撮像面の位置を調整する方法が提案されている。
圧縮ばねを撮像素子の保持板と取付け部材との間に介在させた構成では、撮像素子の撮像面の位置を測定する測定装置やスペーサを用意する必要がなく、取付け部材に対する撮像素子の保持板の位置が、その３つの取付け位置における調整ねじの締め付け状態（締め付け位置）によって高精度、無段階に調整され、調整工程も簡単化される。
たとえば、特開２００３−１３４３８３号公報では、調整ねじの螺合されるねじ孔に隣接してばね座（底付孔）を形成し、このばね座に圧縮ばねが収納、配置されて、取付け部材に対して離間する方向の弾性力が撮像素子の保持板に加えられている。
【０００６】
通常、調整ねじは撮像素子の保持板側から撮像素子の保持板の挿通孔を挿通して取付け部材のねじ孔に螺合される。しかし、実公平４−０１３８８８号公報では、押しねじ、引きねじという２種類のねじが取付け部材側から螺合され、押しねじ、引きねじの締め付けによって撮像素子の保持板の位置を調整している。
つまり、この公報では、引きねじが取付け部材側から取付け部材の挿通孔および撮像素子の保持板の挿通孔を挿通して延出し、フランジ付のナットの回りでフランジと撮像素子の保持板との間に配置した圧縮ばねを圧縮しながらフランジ付ナットに引き用ねじの延出端が螺合されて、取付け板方向への弾性力を撮像素子の保持板に作用させている。ばね付の引きねじから十分離して別の引きねじが、撮像素子の保持板のねじ孔に螺合され、先端が撮像素子の保持板に当接して圧縮ばねの弾性力に抗して撮像素子の保持板を取付け板から押し返す１つのロックねじ（押しねじ）と２つの調整ねじ（押しねじ）が配置され、ロックねじはばね付引きねじに隣接して、２つの調整ねじは、２つの引きねじの中間で互いに十分離間して、撮像素子の保持板のねじ孔にそれぞれ螺合されている。
そして、別の引きねじによって光軸方向の撮像素子の撮像面の位置が調整されるとともに、別の引きねじ、ロックねじ、２つの調整ねじによって、撮像素子の撮像面のあおりを調整している。
【特許文献１】特開２００３−１３４３８３号公報
【特許文献２】実公平４−０１３８８８号公報
【発明の開示】
【発明が解決しようとする課題】
【０００７】
しかし、圧縮ばねの弾性力で撮像素子の保持板を調整ねじのヘッド（頭部）に押し付けているにすぎず、撮像素子の保持板が固定されていないため、圧縮ばねの弾性力より大きな振動や衝撃力が作用すると、調整された撮像素子の撮像面に位置ずれが生じる。
ここで、振動や衝撃力に対抗する大きな弾性力を圧縮ばねに生じさせれば撮像面の位置ずれが防止できる。しかし、上記特開２００３−１３４３８３号公報、上記実公平４−０１３８８８号公報のいずれの構成においても、圧縮ばねが調整ねじと同軸に位置せず、圧縮ばねの圧縮力と圧縮ばねの圧縮力に抗した調整ねじの押力とがずれて作用するため、大きな弾性力を圧縮ばねに生じさせれば撮像素子の保持板が変形し、例えば、湾曲変形が生じ、撮像素子の撮像面にあおりを生じて結像性能を損なうおそれがある。
さらに、実公平４−０１３８８８号公報では、別の引きねじによって光軸方向の撮像素子の撮像面の位置が調整されるとともに、別の引きねじ、ロックねじ、２つの調整ねじによって、撮像素子の撮像面のあおりが調整され、２本の引きねじ、３本の押しねじ（ロックねじ、２本の調整ねじという５本のねじの締め付け位置を調整する必要があり、調整工程が煩雑化しており、熟練作業者でないと調整が難しい。
【課題を解決するための手段】
【０００８】
本発明の撮像素子取付け構造は、撮像素子取付け構造において、撮像素子を有する保持板と、ねじのヘッドが上記保持板の一方の面と当接して、光軸方向に上記保持板を調整するねじと、上記保持板を支持し、上記ねじと螺合する孔を有する軸部を持つ支持部材と、上記軸部外周に螺合し、一端面が上記保持板の他方の面と当接するナットとを具備する。
【０００９】
本発明の撮像素子取付け構造は、撮像素子を保持する保持板と、ヘッド下面が上記保持板の一方の面に当接するヘッド付の調整ねじと、孔の形成されたボスを持ち、上記調整ねじが上記ボスの孔に螺合されて上記保持板の取付けられる取付け部材と、上記取付け部材のボスの外周に螺合されてその一端面が上記保持板の他方の面に当接するナットと、上記調整ねじの回りに、上記取付け部材のボスの一端面と上記保持板の他方の面との間に圧縮状態で付勢を行うために配設された弾性部材とを具備する。
【００１０】
また、本発明の撮像素子取付け構造は、撮像素子を保持する保持板を、取付け部材の少なくとも３ヶ所でねじ孔にヘッド付の調整ねじを螺合して上記取付け部材上に取付ける撮像素子取付け構造において、上記取付け部材は、孔の形成されたボスを持ち、上記調整ねじは上記ボスの孔に螺合され、上記取付け部材のボスと上記保持板との間で上記調整ねじの回りに配置され、上記調整ねじの締め付けに抗した弾性力を生じる弾性部材と、上記取付け部材のボスの外周に螺合されて、上記調整ねじのヘッドとの間で上記保持板を挟持するナットとを具備する。
【００１１】
さらに、本発明の板材取付け構造は、取付け部材上に板材をヘッド付の調整ねじで取付ける板材取付け構造において、上記調整ねじの螺合される孔を有して上記取付け部材に設けられたボスと、上記調整ねじの回りで上記ボスと上記板材との間に配置され、上記調整ねじの締め付けに抗した弾性力を生じる弾性部材と、上記ボスの外周に螺合されて、上記調整ねじのヘッドとの間で上記板材を挟持するナットとを具備する。
【００１２】
また、本発明の板材取付け方法は、孔を有して取付け部材上に設けられた少なくとも３つのボスの外周にナットを螺合する工程と、圧縮に抗した弾性力を生じる弾性部材を上記ボス上で上記ナット内に配置する工程と、上記ナットを介在して上記取付け部材上に板材を配置する工程と、上記弾性部材を挿通してヘッド付の調整ねじを上記ボスの孔に螺合する工程と、上記ナットを上記板材から離反する方向に螺合して板材を浮遊状態とする工程と、上記弾性部材を圧縮しながら上記調整ねじを締め付け、その締め付け状態によって、上記ボスの位置する少なくとも３ヶ所で取付け部材に対する上記板材の取付け位置を調整する工程と、上記ナットを上記板材方向に締め付け、上記調整ねじのヘッドとの間で上記板材を挟持して上記板材をその調整位置に保持する工程とを具備する。
【００１３】
また、本発明の板材取付け方法は、取付け部材上のボスにナットを螺合させ、上記ナット内に弾性部材を置いてから板材を取付け部材上にのせ、上記板材の外から上記弾性部材を挿通してヘッド付調整ねじを上記ボスに螺合し、上記ナットを逃がして板材を浮遊状態とし、ヘッド付調整ねじを上記弾性部材の弾性力に抗して締め付け、その締め付け状態によって上記取付け部材に対する上記板材の位置を調整し、上記ナットを戻して締め付け、上記板材を上記調整ねじのヘッドとの間に挟持する。
【発明の効果】
【００１４】
本発明によれば、弾性部材が調整ねじの回りで調整ねじと同軸に位置し、弾性部材の弾性力とその弾性力に抗した調整ねじの押力との作用方向が一致するため、弾性力に抗して調整ねじを締め付けても、撮像素子の保持板に変形が生じない。また、調整された撮像素子の保持板がナットによって調整ねじのヘッドとの間で挟持されるため、振動や衝撃力が作用しても、撮像素子の撮像面に位置ずれが生じない。
【発明を実施するための最良の形態】
【００１５】
本発明では、ボスにナットを螺合させ、ナット内に圧縮ばねを置いてから撮像素子の保持板が取付け部材上にのせられ、調整ねじをボスに螺合し、ナットを一端逃がして浮遊状態とした撮像素子の保持板に調整ねじを締め付け、その締め付け状態で撮像素子の保持板の位置を調整し、その後、調整後、ナットを戻し、締め付けて撮像素子の保持板を調整ねじのヘッドとの間に挟持している。
【実施例】
【００１６】
以下、図面を参照して本発明の実施例を説明する。図１は、デジタル一眼レフカメラにおける撮像素子の取付け構造１０として具体化された本発明の実施例に係る板材取付け構造の斜視図を示し、図２は取付け方法の工程図を示す。
図１に示すように、ＣＣＤなどの撮像素子２０はアルミニウムなどからなる保持板３０にたとえば接着によって固着、保持され、撮像素子を有する保持板は取付け部材４０にねじ止めされて取付けられる。
【００１７】
デジタル一眼レフカメラにおいては、取付け部材（支持部材）４０はミラーボックスと呼ばれ、ミラーボックスは公知の構造をしており、本発明の要旨でないため詳細に説明しないが、たとえば、後面にシャッタユニット４２が取付けられ、前面のボディマウント４４にレンズマウントを介してレンズユニット（いわゆる、交換レンズ）が着脱可能に装着され、さらにシャッタユニットの背面に撮像素子の保持板３０が取付けられる。そして、取付け部材４０（ミラーボックス）には、レンズユニットの撮影レンズを通過した被写体からの光線を上方に反射するクイックリターンミラーなどが収納されている。
【００１８】
通常、保持板３０を取付け部材４０に位置を調整して取付けるには３ヶ所で取付ければ足り、略矩形の取付け部材の４隅のうち３隅で撮像素子の保持板３０が調整ねじ１２によってねじ止めされている。すなわち、３つのボス（軸部）４６が取付け部材４０と一体形成されて突出し、保持板３０の対応する位置に貫通孔（挿通孔）３０ａが形成されている。それぞれのボス４６はねじ孔（めねじ）４６ａおよびおねじ４６ｂの形成された円柱状とされ、後述するように、ねじ孔に調整ねじ１２が、おねじにナット１４がそれぞれ螺合されている。なお、後述するように、ねじ孔４６ａは単なる孔でもよい。
【００１９】
図２を参照しながら、取付け部材４０への撮像素子の保持板３０の取付け方法を詳細に説明する。なお、図２に示すように、作業性を考慮してボス４６を上にして配置された取付け部材４０に対して保持板３０が取付けられる。
【００２０】
まず、図２（Ａ）に示す取付け部材のボス４６のおねじ４６ｂに、ナット１４がボスの上方に十分な空間を残して装着される（図２（Ｂ））。そして、圧縮に抗して弾性力を生じる弾性部材、たとえば、螺旋状に形成された付勢を行うための圧縮コイルばね（圧縮ばね）１６が、ボス４６上でナット１４内に自由状態で配置される（図２（Ｃ））。３ヶ所で圧縮ばね１６がナット１４内に置かれると、撮像素子の保持板３０がナット１４を介して取付け部材４０上に配置される（図２（Ｄ））。
保持板３０はその貫通孔３０ａをボスのねじ孔４６ａに整列させて取付け部材４０上に配置される。しかし、保持板３０を最初から所定の位置に配置することは難しく、通常は、取付け部材４０にのせてからスライドさせて位置決めされる。そして、圧縮ばね１６がボス４６上でナット１４内に置かれているため、保持板３０を取付け部材４０上でスライドしても、圧縮ばねが横にずれてボス上から脱落するおそれはなく、保持板３０の位置決めが圧縮ばねを脱落させずに迅速に行なえる。
【００２１】
撮像素子の保持板３０が取付け部材４０上にのせられると、調整ねじ１２が上から保持板３０の貫通孔を挿通してボスのねじ孔４６ａに装着され、保持板がナット１４に突き当たるまで締め付けられる（図２（Ｅ））。このとき、調整ねじ１２が圧縮ばね１６の中を通過してねじ孔４６ａに螺合されることはいうまでもない。
ナット１４の装着（図２（Ｂ））から調整ねじ１２の装着（図２（Ｅ））までが調整の準備段階であり、全ての構成要素が組み込まれ、調整に備えて待機する。
【００２２】
圧縮ばね１６の弾性力に抗して調整ねじ１２を締め付けるためのスペースを確保するように、ナット１４が撮像素子の保持板３０から逃がされ（図２（Ｆ））、それによって、圧縮ばね１６の弾性力のもとで保持板が浮遊状態で保持される。
【００２３】
圧縮ばね１６の弾性力（付勢力）に抗して調整ねじを締め付け、調整ねじの締め付け状態（締め付け位置）を調整することにより、浮遊状態の保持板３０の位置（高さ）が調整され、取付け部材４０に対する撮像素子の保持板の位置が光軸方向（被写体光束方向）調整される（図２（Ｇ））。３ヶ所の調整位置で、保持板３０の光軸方向の位置とあおり量を調整しながら調整ねじ１２をそれぞれ締め付け、撮像素子２０の撮像面があおりのない垂直な状態で結像位置にくるように、撮像素子の保持板３０が光軸方向に調整されて取付け部材４０に取付けられる。
【００２４】
ここで、圧縮ばね１６は調整ねじ１２の回りで調整ねじと同軸に位置し、圧縮ばねの弾性力（圧縮力）と調整ねじ１２の押力（締め付け力）とが同軸上に作用して作用方向が一致する。そのため、圧縮ばね１６の弾性力に抗して調整ねじ１２を締め付けても、作用方向のずれに起因する変形が撮像素子の保持板３０に生じることはなく、調整ねじの締め付けが撮像素子２０の撮像面のあおりを生じるおそれはない。
また、調整ねじ１２で撮像素子の保持板３０の位置を調整しているため、調整ねじの締め付け状態によって保持板の位置が高精度、無段階かつ簡単に調整できる。
【００２５】
それから、ナット１４を旋回させ、撮像素子の保持板３０方向に戻して保持板に当接するまで締め付け、調整ねじのヘッド（頭部）１２ａとナットとの間で保持板を挟持することにより、保持板はその調整位置に固定される（図２（Ｈ））。
調整された撮像素子の保持板３０がナット１４の締め付けによって調整ねじのヘッド１２ａとの間で挟持されて強固に固定されるため、振動や衝撃力が作用しても、保持板は調整位置から移動せず、保持板上の撮像素子２０の撮像面に位置ずれが生じない。そして、挟持、つまり、上下方向から保持しているため、調整ねじ１２を強く締め付けることなく、振動や衝撃力に対抗できる。
さらに、調整ねじ１２の締め付けによって撮像素子の保持板３０の位置が調整され、ナット１４の締め付けでその調整位置に保持板を固定しており、調整工程では、３ヶ所で調整ねじ１２およびナット１４を締め付けるだけでよく、調整工程が簡単化されるため、熟練作業員以外でも迅速、正確な調整が可能となる。
【００２６】
実施例では、調整ねじ１２の締め付けに抗する弾性部材として圧縮ばね（圧縮コイルばね）１６が使用されている。しかし、弾性部材は撮像素子の保持板３０を浮遊状態で保持して調整ねじ１２の締め付けに抗する弾性力を生じるものであれば足り、必要な弾性力が確保できれば、金属製の圧縮ばね１６の代わりに環状の円筒ゴム１１６（図３（Ａ））やゴム製または環状の合成樹脂製のジャバラ２１６（図３（Ｂ）を弾性部材として利用できる。
弾性部材が圧縮ばね１６であれば、単価も安く、大きな弾性力が得られる。他方、弾性部材が円筒ゴム１１６またはジャバラ２１６であれば、相互に絡み合うこともないため、その作業用収納ボックスから取り出してナット１４内に配置する作業が容易に行なえ、自動化にも容易に対応できる。
【００２７】
実施例では、ボスのねじ孔４６ａはねじの形成されたものとして説明したが、別の実施例として、調整ねじ１２をセルフタップねじとし、ねじ孔４６ａをねじ加工の施されない単なる孔としてもよい。
また、ボス４６はミラーボックス４０と一体成形されているが、別体に形成したボスをミラーボックスに取付けてもよい。しかし、ボス４６を一体に成形すれば、一定の精度が確保でき、好ましい。
さらに、実施例では、保持板３０とボス４６との組み付け時にスライドさせて位置調整しているが、ミラーボックス４０から位置決めボスを突出して設け、保持板３０にその位置決めボスと嵌合する孔部を設ければ、スライドさせずに位置決めできる。
また、実施例において、弾性部材である圧縮ばね１６を使用したが、弾性部材はこの取付け構造の組立完了時には不要であるため、省くこともできる。しかし、この弾性部材を使用することにより、組立性の向上を図ることができる。
【００２８】
上述した実施例は本発明を説明するためのものであり、本発明は実施例に限定されるものではなく、本発明の要旨を逸脱しない範囲内において、上記以外の変形や応用が可能であることはいうまでもない。
たとえば、実施例では、デジタル一眼レフカメラにおける撮像素子の保持板（板材）をミラーボックス（取付け部材）に取り付ける取付け構造として具体化されている。しかし、本発明は、ミラーボックスへの撮像素子の保持板の取付けに限定されず、種々の板材を対応する取付け部材に調整ねじで取付ける取付け構造に応用できる。
【産業上の利用可能性】
【００２９】
本発明によれば、調整ねじを締め付けても板材に変形は生じず、一旦調整すると、振動や衝撃力が作用しても、位置ずれの生じることがないため、精密な位置決めを必要とする精密部品の分野に本発明が広範囲に応用できる。
【図面の簡単な説明】
【００３０】
【図１】デジタル一眼レフカメラにおける撮像素子の取付け構造として具体化された本発明の実施例に係る板材取付け構造の斜視図を示す。
【図２】板材取付け方法の一例を示す。
【図３】弾性部材の変形例を示す。
【符号の説明】
【００３１】
１０      板材の取付け構造
１２      調整ねじ
１２ａ    調整ねじのヘッド
１４      ナット
１６      圧縮ばね（弾性部材）
２０      撮像素子
３０      撮像素子の保持板（板材）
４０      ミラーボックス（取付け部材）
４６      ミラーボックス上のボス（軸部）
４６ａ    ボスのねじ孔
４６ｂ    ボスのおねじ
１１６    円筒ゴム
２１６    ゴム製または合成樹脂製のジャバラ
【図１】
2006203706.tif 000003
【図２】
2006203706.tif 000004
【図３】
2006203706.tif 000005